(57)【要約】【課題】  緩んだ釣糸の正常軌道への復帰を妨害しない幅狭の釣糸ガイドを備える釣竿、及び、そのような幅狭の釣糸ガイドを提供する。【解決手段】  本発明の一実施形態に係る釣糸ガイドは、釣糸を挿通可能なガイドリングを保持する保持部と、当該保持部から延びる支脚部と、当該支脚部から延びる取付部と、を備える。この釣糸ガイドは、当該取付部を介して所定の取付位置において釣竿の竿体に取り付けられる。一実施態様において、当該支脚部は、前記取付部から前記保持部に向かって幅広となるように構成される。また、一実施態様において、前記保持部及び前記支脚部は、各々の最大幅がいずれも前記竿体の前記取付位置における外径と実質的に同一か又は当該外径よりも小さくなるように構成される。【選択図】  図３
2014135914.tif 000002
【特許請求の範囲】
【請求項１】
竿体と、
当該竿体の外周面に取り付けられ、リールから繰り出された釣糸を案内する複数の釣糸ガイドと、
を備えた釣竿であって、
前記複数の釣糸ガイドのうち前記リールの取付位置の最も近くに取り付けられる第１釣糸ガイドは、釣糸を挿通可能な第１ガイドリングを保持する第１保持部、当該第１保持部から延びる第１支脚部、及び当該第１支脚部から延びる第１取付部を有し、当該第１取付部を介して第１取付位置において前記竿体に取り付けられ、
前記第１支脚部は、前記第１取付部から前記第１保持部に向かって幅広となるように構成され、
前記第１釣糸ガイドは、その最大幅が前記竿体の前記第１取付位置における外径と実質的に同一か又は当該外径よりも小さくなるように構成されている、
釣竿。
【請求項２】
前記複数の釣糸ガイドのうち、前記第１釣糸ガイドと隣接する第２釣糸ガイドは、釣糸を挿通可能な第２ガイドリングを保持する第２保持部、当該第２保持部から延びる第２支脚部、及び当該第２支脚部から延びる第２取付部を有し、当該第２取付部を介して第１取付位置よりもリールから離れている第２取付位置において前記竿体に取り付けられ、
前記第１ガイドリングは、その内径の下端が、前記第２ガイドリングの内径の上端よりも上方にある、
請求項１に記載の釣竿。
【請求項３】
前記複数の釣糸ガイドのうち、前記第１釣糸ガイドから最も遠くに取り付けられるトップガイドは、釣糸を挿通可能なトップガイド用ガイドリングを保持するトップガイド用保持部、当該トップガイド用保持部から延びるトップガイド用支脚部、及び当該トップガイド用支脚部から延びるトップガイド用取付部を有し、当該トップガイド用取付部を介してトップガイド取付位置において前記竿体に取り付けられ、
前記トップガイドリングは、その内径の下端が、前記第２ガイドリングの内径の下端よりも下方にあるように構成されている、
請求項２に記載の釣竿。
【請求項４】
前記第１ガイドリングが前記竿体の穂先側に傾いている、
請求項１から請求項３のいずれか１項に記載の釣竿。
【請求項５】
前記リールが前記竿体の外周面の上側に取り付けられるベイトキャスティングリールであり、
前記複数のガイドリングはいずれも前記竿体の外周面の上側に取り付けられる、
請求項１から請求項３のいずれか１項に記載の釣竿。
【請求項６】
釣糸を挿通可能なガイドリングを保持する保持部と、
当該保持部から延びる支脚部と、
当該支脚部から延びる取付部と、
を備え、当該取付部を介して所定の取付位置において釣竿の竿体に取り付けられる釣糸ガイドであって、
前記支脚部は、前記取付部から前記保持部に向かって幅広となるように構成され、
前記保持部及び前記支脚部は、各々の最大幅がいずれも前記竿体の前記取付位置における外径と実質的に同一か又は当該外径よりも小さくなるように構成されている、
釣糸ガイド。
【発明の詳細な説明】
【技術分野】
【０００１】
本発明は、竿体の外周面に釣糸ガイドが取り付けられた釣竿、及び、竿体の外周面に取り付けられる釣糸ガイドに関する。
【背景技術】
【０００２】
従来の釣竿は、リールから繰り出され又はリールに巻き取られる釣糸を竿体に沿って案内するために、竿体の外周面に複数の釣糸ガイドを備えている。この種の釣糸ガイドの例が特開２００８−１２５４６３号公報（特許文献１）に開示されている。特許文献１の釣糸ガイドは、釣糸を通して案内する環状のガイドリングと、このガイドリングを保持する保持部、この保持部から延びる支脚部、及びこの支脚部から延びる取付部を有している。特許文献１の釣糸ガイドにおいては、糸が釣糸ガイドへ絡むことを防ぐために、ガイドリング、保持部、及び支脚部が前方（穂先側）へ傾けられている。釣糸ガイドは、支脚部が１本か２本かに応じて、特許文献１の図１に示されているシングルフット型と、同図８に示されているダブルフット型に大別される。
【０００３】
また、特開２０１２−２２８２０２号公報（特許文献２）に記載されているように、釣糸ガイドは、一般に、スピニングリール使用時には竿体の外周面のうちの下側の面に取り付けられ、ベイトキャスティングリール使用時には、竿体の外周面のうちの上側の面に取り付けられる。
【先行技術文献】
【特許文献】
【０００４】
【特許文献１】特開２００８−１２５４６３号公報
【特許文献２】特開２０１２−２２８２０２号公報
【発明の概要】
【発明が解決しようとする課題】
【０００５】
特許文献１の［０００５］段落に記載されているように、釣竿から放出される釣糸とガイドリングとの間の抵抗を小さくするためには、ガイドリングの内径は大きい方が望ましいと考えられている。しかしながら、ガイドリングの内径が大きくなると、ガイドリングを保持する保持部や支脚部の幅も大きくなる。例えば、特許文献２の図５や図１３に示されている釣糸ガイドは、その保持部や支脚部が竿体から張り出すように構成されている。保持部や支脚部の幅が大きくなることにより、以下の不具合がある。
【０００６】
釣り場においては、風の影響などにより、釣糸がリールから各釣糸ガイドを経由して穂先に至る正常な軌道から外れて、竿体外周面の釣糸ガイドとは反対側（スピニングリール使用時には竿体の上方、ベイトキャスティングリール使用時には竿体の下方）に回り込むことがあるため、釣糸ガイドの保持部や支脚部が竿体から張り出していると、この張り出した部分が正常軌道へ復帰しようとする釣糸と衝突し、釣糸の正常軌道へのスムースな復帰が妨げられてしまう。具体的には、釣糸が保持部や支脚部に衝突すると、釣糸が釣糸ガイドに絡まり易くなり、また、仕掛けの飛距離の低下や取り込み操作の遅れを引き起こすおそれがある。
【課題を解決するための手段】
【０００７】
本発明は、上記の問題点を解決又は緩和するために、緩んだ釣糸の正常軌道への復帰を妨害しない幅狭の釣糸ガイドを備える釣竿、及び、そのような幅狭の釣糸ガイドを提供することを目的とする。
【０００８】
また、本発明の一実施形態に係る釣竿は、竿体と、当該竿体の外周面に取り付けられ、リールから繰り出された釣糸を案内する複数の釣糸ガイドと、を備える。本発明の一態様において、前記複数の釣糸ガイドのうちの最もリールの近くに取り付けられる第１釣糸ガイドは、釣糸を挿通可能な第１ガイドリングを保持する第１保持部、当該第１保持部から延びる第１支脚部、及び当該第１支脚部から延びる第１取付部を有し、当該第１取付部を介して第１取付位置において前記竿体に取り付けられる。一実施態様において、当該第１支脚部は、前記第１取付部から前記第１保持部に向かって幅広となるように構成される。また、一実施態様において、前記第１釣糸ガイドは、その最大幅が、前記竿体の前記第１取付位置における外径と実質的に同一か又は当該外径よりも小さくなるように構成される。
【０００９】
本発明の一実施形態に係る釣糸ガイドは、釣糸を挿通可能なガイドリングを保持する保持部と、当該保持部から延びる支脚部と、当該支脚部から延びる取付部と、を備える。この釣糸ガイドは、当該取付部を介して所定の取付位置において釣竿の竿体に取り付けられる。一実施態様において、当該支脚部は、前記取付部から前記保持部に向かって幅広となるように構成される。また、一実施態様において、前記保持部及び前記支脚部は、各々の最大幅がいずれも前記竿体の前記取付位置における外径と実質的に同一か又は当該外径よりも小さくなるように構成される。
【発明の効果】
【００１０】
本発明の実施形態によって、緩んだ釣糸の正常軌道への復帰を妨害しない幅狭の釣糸ガイドを備える釣竿、及び、そのような幅狭の釣糸ガイドが提供される。
【図面の簡単な説明】
【００１１】
【図１】本発明の一実施形態に係る釣竿の構成を模式的に示す側面図。
【図２】図１に示した釣竿におけるリール２及び釣糸ガイド６−１付近を拡大して模式的に示す側面図。
【図３】図２に示した釣竿をＡ−Ａ’線に沿って切断した断面図。
【図４】図１に示した釣竿における釣糸ガイド６−１及び釣糸ガイド６−２の付近を拡大して模式的に示す側面図。
【図５】釣糸ガイド６−１の側面図
【発明を実施するための形態】
【００１２】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１３】
図１は、本発明の一実施形態に係る釣竿の構成を示す側面図である。図１に示すように、本発明の一実施形態に係る釣竿Ｒの竿体１は、元竿１−１と、元竿１−１の先端に取り付けられる穂先竿１−２と、を含む。竿体１は３つ以上の任意の数の竿部材を含んでもよい。例えば、元竿１−１と穂先竿１−２との間に中竿を取り付けることにより、３つの竿部材から成る竿体１が得られる。元竿１−１には、リールシート３を介してリール２が着脱自在に装着される。また、元竿１−１の基端側には、グリップ４が取り付けられている。
【００１４】
これらの元竿１−１及び穂先竿１−２は、典型的には、強化繊維に合成樹脂を含浸させた繊維強化プリプレグシートから作製される。具体的には、繊維強化プリプレグシートを芯金に巻回した後、硬化、脱芯等の工程を行うことにより、元竿１−１及び穂先竿１−２が得られる。元竿１−１及び穂先竿１−２の材料や製法は本明細書で説明されるものに限定されず、それ以外の様々な公知の材料や公知の製法を用いて作製され得る。各竿は、中空構造及び中実構造のいずれの構造を有するものであってもよい。
【００１５】
竿体１には、少なくとも１つの釣糸ガイドが取り付けられている。図１の例では、竿体１には、釣糸ガイド６−１乃至釣糸ガイド６−１６の１６個の釣糸ガイドが取り付けられている。リール３から繰り出された釣糸５は、図１に示された釣糸ガイド６−１乃至釣糸ガイド６−１６により竿体１の穂先まで案内される。釣糸ガイド６−１は釣り人の手元に最も近い位置にあるので「元ガイド」と呼ばれることがある。また、釣糸ガイド６−１６は、竿体１の最も先端側にあるので、「トップガイド」と呼ばれることがある。また、本明細書においては、釣糸ガイド６−１乃至釣糸ガイド６−１６を釣糸ガイド６と総称することがある。
【００１６】
図１には、リール２として、ベイトキャスティングリールを用いた例が示されている。図示のとおり、ベイトキャスティングリールは、一般に、竿体１の外周面の上側に取り付けられる。リール２としてベイトキャスティングリール又はそれ以外の竿体１の外周面の上側に取り付けられるリールを用いる場合には、釣糸を案内するための釣糸ガイド６−１〜６−１６も竿体１の上側に取り付けられる。
【００１７】
図２は、図１に示した釣竿１のリール２及び釣糸ガイド６−１付近を拡大して模式的に示す側面図である。図示のとおり、釣糸ガイド６−１は、一組の筒状の固定部材７−１、７−２によって竿体１に取り付けられる。固定部材７−１、７−２の各々は、例えば繊維強化プラスチックから成る。この固定部材７−１、７−２の各々は、竿体１の外面を釣糸ガイド６−１の取付部（後述する）とともに覆い、該取付部を竿体１の外周面に対して押圧することで、釣糸ガイド６−１を竿体１に固定する。固定部材７−１、７−２に代えて、ナイロン繊維等から成る巻糸を用いて釣糸ガイド６−１を竿体１に固定してもよい。巻糸を用いて釣糸ガイド６−１を竿体１に固定するには、竿体１の所定位置に釣糸ガイド６−１を配置し、この釣糸ガイド６−１の取付部を巻糸で竿体１に巻き付けた後、この巻糸に対して接着剤を付与すればよい。
【００１８】
次に、図３ないし図５を参照して、釣糸ガイド６−１の構成をさらに説明する。図３は、図２に示した釣竿をＡ−Ａ’線に沿って切断した断面図であり、釣竿Ｒの前方（穂先側又はトップガイド６−１６側）から見た釣糸ガイド６−１を模式的に表している。図４は、図１に示した釣竿における釣糸ガイド６−１及び釣糸ガイド６−２の付近を拡大して模式的に示す側面図であり、釣竿Ｒの側面から見た釣糸ガイド６−１を模式的に表している。図５は、釣糸ガイド６−１の側面図である。
【００１９】
図示のとおり、釣糸ガイド６−１は、環状のガイドリング９を保持する保持部８と、保持部８からそれぞれ延びて保持部８をそれぞれ支持する前側支脚部１０及び後側支脚部１２と、前側支脚部１０から竿体１の軸方向に沿って前方に延びる前側取付部１１と、後側支脚部１２から竿体１の軸方向に沿って後方に延びる後側取付部１３と、を主に含む。保持部８は、円形の開口を有し、この開口内にガイドリング９を保持する。図示した実施形態において、前側支脚部１０は、前側取付部１１との結合部分から保持部８との結合部分に向かうにつれて幅広となるように構成され、また、後側支脚部１２は、後側取付部１３との結合部分から保持部８との結合部分に向かうにつれて幅広となるように構成されている。ガイドリング９は、各種のセラミックス、金属、又は樹脂から形成される。
【００２０】
一実施形態において、前側支脚部１０は、屈曲部１０Ｒにおいて屈曲するように構成される。この場合、前側支脚部１０は、保持部８の下端に結合されて竿体１の軸方向と所定の角度α１を成して竿体１に向かって延びる上側部材１０−１と、上側部材１０−１と屈曲部１０ａで結合されて竿体１の軸方向と角度α１よりも小さい角度α２を成して竿体１に向かって延びる下側部材１０−２とから成る。このように前側支脚部１０に屈曲部１０ａを設けることにより、釣糸ガイド６−１にかかる応力を屈曲部１０ａに集中させることができる。これにより、細く破損しやすい前側支脚部１０と前側取付部１１との接続部（前側支脚部１０の付け根）へ作用する応力を緩和することができ、この前側支脚部１０と前側取付部１１との接続部が破損することを防止又は抑制することができる。また、前側支脚部１０には、軽量化のために開口１０ａが形成されている。
【００２１】
釣糸ガイド６−１は、プリプレグシートから作製することができる。釣糸ガイド６−１は、例えば、複数のプリプレグシートをプレス加工により貼り合わせてプリプレグ成形品を作成し、このプリプレグ成形品から、保持部８、前側支脚部１０、前側取付部１１、後側支脚部１２、及び後側取付部１３に相当する形状のフレームを切り出し、この切り出されたフレームにガイドリング９を嵌め込むことで作製される。プリプレグシートから釣糸ガイドを作製する工程の詳細については、本出願人の国際出願ＰＣＴ／ＪＰ２０１２／０７９５９５に記載されている。釣糸ガイド６−１は、上記以外の任意の公知の手法を用いて作製してもよい。例えば、釣糸ガイド６−１は、金属や合成樹脂等の材料を用いた射出成形により形成される。
【００２２】
釣糸ガイド６−１を構成する構成部材の寸法についてさらに説明する。一実施形態において、釣糸ガイド６−１は、その前方（竿体１の穂先側）又はその後方（竿体１のグリップ４側）から見た最大幅（図３において「Ｗ１」で表されている。）が、釣糸ガイド６−１の取付位置における竿体１の外径と実質的に同一か又は当該外径よりも小さくなるように構成される。したがって、釣糸ガイド６−１を構成する保持部８、前側支脚部１０、前側取付部１１、後側支脚部１２、後側取付部１３の任意の部分における幅は、いずれも釣糸ガイド６−１の取付位置における竿体１の外径と実質的に同一か又は当該外径よりも小さくなる。
【００２３】
図３の例においては、竿部１において釣糸ガイド６−１の前側取付部１１に対応する位置を釣糸ガイド６−１の取付位置とし、その取付位置における竿体１の外径をＷ２で表している。他の実施形態においては、竿部１における釣糸ガイド６−１の後側取付部１３に対応する位置を釣糸ガイド６−１の取付位置としてもよいし、又は、前側取付部１１と後側取付部１３との間の任意の位置を取付位置としてもよい。
【００２４】
このように、釣糸ガイド６−１の最大幅を、その取付位置における竿体１の外径と実質的に同一か又は当該外径よりも小さくすることにより、正常軌道から逸脱した釣糸５をガイドリング９内に復帰させる際に、釣糸５が釣糸ガイド６−１と衝突しにくくなる。図３に示した実施形態において、釣糸５に対してテンションが十分にかかっていないときに、当該釣糸５は、ガイドリング９の開口９ａから竿体１の外周面の上側まで落下し、その後竿体１の外周面に沿って竿体１の下方の位置（例えば、図３に示した落下位置Ｐ１）まで落下する。このようにして竿体１の下方にまで落下した釣糸５をガイドリング９を通る正常軌道に復帰させるために釣糸５に十分なテンションをかけると、釣糸５は、まず竿体１の側方の位置（例えば、図３に示した竿体側方位置Ｐ２）まで竿体１の外周面に沿って引き上げられ、その後ガイドリング９に向かって斜めに引き上げられる。このとき、釣糸ガイド６−１の一部が竿体１から張り出していると、その張り出した部分に対して竿体側方位置Ｐ２からガイドリング９に移動する釣糸５が衝突し、釣糸５の正常軌道へのスムースな復帰が妨げられる可能性がある。本発明の実施形態に係る釣竿Ｒにおいては、釣糸ガイド６−１の最大幅をその取付位置における竿体１の外径と実質的に同一か又は当該外径よりも小さくすることにより、釣糸５がリングガイド９方向へ移動する際に釣糸ガイド６−１に衝突しづらくなり、その結果、釣糸５はガイドリング９を通る正常軌道にスムースに復帰することができる。
【００２５】
また、本発明の実施形態によれば、釣糸ガイド６−１の最大幅をその取付位置における竿体１の外径と実質的に同一か又は当該外径よりも小さくすることにより、ガイドリング９の内径も竿体１の取付位置における外径よりも小さくなる。したがって、釣糸５とガイドリング９との間の遊びが少なくなり、魚信感度が良くなる。つまり、魚がヒットしたときに、魚の引きにより釣糸５にかかった力がすぐにガイドリング９に伝達される。
【００２６】
図４の実施形態において、釣糸ガイド６−１のガイドリング９の内周面の下端は、隣接する釣糸ガイド６−２のガイドリングの内周面の上端よりも上方にある。また、リール２からの釣糸５の放出位置は、釣糸ガイド６−１〜６−１６よりも上方にある。したがって、釣糸５は、リール２と釣糸ガイド６−１との間において、釣糸ガイド６−２の内周面の上端よりも高い位置を通過するため、多少緩んでも竿体１に接触しづらくなる。これにより、竿体１との接触により釣糸５に作用する摩擦力を減少させることができるので、仕掛けの飛距離が減少したり仕掛けの取り込み操作が遅くなることを防止できる。
【００２７】
釣糸ガイド６−１を上記のように幅狭に形成すると、それに応じてガイドリング９の内径も小さくならざるを得ない。ガイドリング９の内径が小さくなると、釣糸５がガイドリング９の内径と接触しやすくなって釣糸５に作用する摩擦力が増大おそれがある。本発明の一実施形態においては、釣糸ガイド６−１のガイドリング９の内周面の下端が隣接する釣糸ガイド６−２のガイドリングの内周面の上端よりも上側に配置することにより、又は、釣糸ガイド６−１の高さｈと当該釣糸ガイドのガイドリングの内径ｒとの比であるｈ／ｒを２．０〜５．５、好ましくは３．０〜５．０の範囲とすることにより、釣糸５が竿体１と接触しにくくなるので、釣糸５とガイドリング９の内側との摩擦が増加する影響を緩和できる。
【００２８】
一実施形態において、釣糸ガイド６−１は、その前側取付部１１の幅Ｗ３が、釣糸ガイド６−１の取付位置における竿体１の外径Ｗ２の概ね１／２となるように構成される。前側取付部１１の幅Ｗ３をＷ２の概ね１／２とすることにより、釣糸ガイド６−１を竿体１に安定的に取り付けることができる。また、前側取付部１１の幅Ｗ３をＷ２の概ね１／２とすることにより、前側支脚部１０を比較的幅広に構成することができるので、釣糸５がガイドリング９から下方に垂れ下がった場合でも、釣糸が釣糸ガイド６−１の根元付近（前側支脚部１０と前側取付部１２との境界付近）に絡みにくくすることができる。また、前側取付部１１と同様に、後側取付部１３は、その幅が釣糸ガイド６−１の取付位置における竿体１の外径Ｗ２の概ね１／２となるように構成される。
【００２９】
以上、釣糸ガイド６−１を例に、本発明の範囲に含まれる釣糸ガイドの構成を説明したが、釣糸ガイド６−２〜６−１６も、釣糸ガイド６−１と同様に構成され得る。ただし、寸法は互いに同じであってもよいし異なっていてもよい。図１の実施形態においては、釣糸ガイド６−１〜６−１６のうち、前方にある釣糸ガイドは、後方にある釣糸ガイドと比べて、幅が同一か又は小さくなり、また、高さが同一か又は低くなるように構成される。例えば、釣糸ガイド６−２は、それよりも後方にある釣糸ガイド６−１よりも幅が小さく高さが低くなるように構成され、トップガイド６−１６近辺の釣糸ガイド（例えば、釣糸ガイド６−１０〜６−１６）は、互いに同幅・同高に形成される。また、釣糸５は、釣糸ガイド６−２〜６−１６に対して、ほぼ竿体１の軸方向に平行な角度で進入するので、釣糸ガイド６−２〜６−１６の保持部８及びガイドリング９は、竿体１の軸方向に対して略垂直になるように形成されてもよい。
【００３０】
以上の実施形態においては、釣糸ガイド６−１〜６−１６が前後一組の支脚部（釣糸ガイド６−１における前側支脚部１０と後側支脚部１２がこれに相当する。）を有するいわゆるダブルフット型の釣糸ガイドを例に説明したが、本発明はシングルフット型の釣糸ガイドにも適用可能である。シングルフット型の釣糸ガイドの構成は、一般に、ガイドリングを保持する保持部、保持部から下方に延びる支脚部、及び支脚部から竿体の軸方向に延びる取付部を有する。本発明を適用したシングルフット型の釣糸ガイドは、その最大幅が、当該釣糸ガイドの取付位置における竿体の外径と実質的に同一か当該外径よりも小さくなるように構成される。つまり、シングルフット型の釣糸ガイドを構成する保持部、支脚部、及び取付部の各々の幅がいずれも当該釣糸ガイドの取付位置における竿体の外径と実質的に同一か当該外径よりも小さくなるように構成される。
【００３１】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３２】
Ｒ  釣竿
１  竿体
５  釣糸
６（６−１〜６−１６）  釣糸ガイド
８  保持部
９  ガイドリング
１０  前側支脚部
１１  前側取付部
１２  後側支脚部
１３  後側取付部
【図３】
2014135914.tif 000003
【図５】
2014135914.tif 000004
【図１】
2014135914.tif 000005
【図２】
2014135914.tif 000006
【図４】
2014135914.tif 000007